(57)【要約】      （修正有）【課題】モノポーラおよびバイポーラ操作の両方の利点を組み合わせ得る、モノポーラ伸長部を有するバイポーラ鉗子の提供。【解決手段】モノポーラ要素１５４は、第２のアクチュエータ４５０を用いて、選択的に伸長される。ナイフ１８５は、ほぼ近位方向にトリガー７１を動かすことによって、前進する。モノポーラ要素１５４は、ナイフ１８５とは独立して選択的に前進するおよびアクチュエータ４５０は、モノポーラ要素１５４が、一旦伸長すると自動的に、あるいは、活性化スイッチ２００またはおそらく別のスイッチによって手動で、モノポーラ要素１５４を活性化するように、電気的に設計され得る。モノポーラ要素１５４が伸長した場合に、ジョー部材１１０および１２０を不活性化するように、自動安全回路４６０を用いてもよい。モノポーラ要素のための、別々の活性化スイッチの場合、安全回路は、スイッチ２００を不活性化する。【選択図】図４
2006116320.tif 000002
【特許請求の範囲】
【請求項１】
内視鏡鉗子であって、以下：
ハウジングであって、該ハウジングが、該ハウジングに取り付けられたシャフトを有し、該シャフトが、その遠位端に取り付けられた第１ジョー部材および第２ジョー部材を備える、ハウジング；
互いに対してジョー部材を、該ジョー部材が互いに対して間隔を開けた関係で配置される第１位置から、該ジョー部材が協働して組織をそれらの間につかむ第２位置に移動させるための、アクチュエータ；
各ジョー部材が、該ジョー部材がそれらの間に保持される組織を介してバイポーラエネルギーを選択的に伝導し得るように、電気外科エネルギーの供給源に接続されるように構成される、各ジョー部材；
ナイフであって、該ナイフが、該第１ジョー部材と該第２ジョー部材のうちの少なくとも１つ内に規定されるナイフチャネル内で選択的に移動可能であり、該第１ジョー部材と該第２ジョー部材との間に配置された組織を切断する、ナイフ；および
少なくとも該第１ジョー部材内に収容され、該ナイフと一体的に関連するモノポーラ要素であって、該モノポーラ要素が、該ナイフと関連して、該第１ジョー部材内の第１位置から該第１ジョー部材に対して遠位の第２位置へと選択的に移動可能であり、該モノポーラ要素が、該電気外科エネルギーの供給源に接続されるように構成され、かつ該ジョー部材から独立して選択的に能動化可能である、モノポーラ要素、
を備える、内視鏡鉗子。
【請求項２】
請求項１に記載の内視鏡鉗子であって、前記鉗子が、脈管シーリング鉗子であり、前記ジョー部材の少なくとも１つが、その上に配置された少なくとも１つの非伝導性停止部材を備え、該非伝導性停止部材が、前記第１ジョー部材と前記第２ジョー部材との間の距離を、組織がそれらの間に保持されるときに制御する、内視鏡鉗子。
【請求項３】
請求項１に記載の内視鏡鉗子であって、前記ナイフチャネルが、前記ジョー部材の一方の中に規定される第１ナイフチャネルおよび前記ジョー部材の他方の中に規定される第２ナイフチャネルを備える、内視鏡鉗子。
【請求項４】
請求項３に記載の内視鏡鉗子であって、前記第２ナイフチャネルが、前記第１ナイフチャネルよりも広く、モノポーラ要素のその中を通る往復運動を可能にする、内視鏡鉗子。
【請求項５】
請求項４に記載の内視鏡鉗子であって、前記第１ジョー部材が、その遠位端に規定される開口部を備え、これによって、組織のモノポーラ処置のために、その開口部を通るモノポーラ要素の選択的遠位への移動が可能になる、内視鏡鉗子。
【請求項６】
請求項１に記載の内視鏡鉗子であって、前記モノポーラ要素が、前記第１ジョー部材の遠位端から伸長する場合にのみ、該モノポーラ要素の電気的作動を可能にする安全装置を備える、内視鏡鉗子。
【請求項７】
請求項１に記載の内視鏡鉗子であって、トリガーが、前記ジョー部材の間に配置された組織を分離するように前記ナイフを移動させ、前記モノポーラ要素を前記第１ジョー部材内の第１位置から該第１ジョー部材に対して遠位の第２位置へと伸長させるように作動する、内視鏡鉗子。
【発明の詳細な説明】
【技術分野】
【０００１】
（関連出願の相互参照）
本出願は、Ｌａｗｅｓらによって２００３年１１月１７日に出願された米国仮出願番号６０／５２０，５７９（「ＢＩＰＯＬＡＲ  ＦＯＲＣＥＰＳ  ＨＡＶＩＮＧ  ＭＯＮＯＰＯＬＡＲ  ＥＸＴＥＮＳＩＯＮ」と題される）に対する優先権の利益を主張する。この内容の全体が、本明細書中において参考として援用される。
【０００２】
本開示は、電気外科鉗子に関し、より詳細には、本開示は、電気外科効果を増強するために、選択的にエネルギー付与可能および／または伸長可能なモノポーラ伸長部を有する、組織を凝固、シーリングおよび／または切断するための内視鏡バイポーラ電気外科鉗子に関する。
【背景技術】
【０００３】
電気外科鉗子は、機械的クランピング作用および電気エネルギーの両方を利用して、組織を凝固、焼灼および／またはシーリングするために、組織および血管を加熱することによって止血をもたらす。開放外科手順とともに使用するための開放鉗子に対する代替として、多くの現代の外科医は、より小さな穿孔様の切開を通して器官に遠隔的にアクセスするために、内視鏡および内視鏡機器を使用する。その直接的な結果として、患者は、より少ない瘢痕および治癒時間の減少といった利益を得る傾向がある。
【０００４】
内視鏡器具は、カニューレ、またはトロカールで作製されたポートを通じて患者中に挿入される。カニューレの代表的なサイズは、３ミリメートル〜１２ミリメートルまでの範囲である。通常、より小さなカニューレが好ましく、これは、認識され得るように、最終的には、このより小さなカニューレを通って適合する内視鏡器具を作製する方法をみいださなければならない器具製造業者に対し設計課題を提示する。
【０００５】
多くの内視鏡外科的手順は、血管または血管組織を切断すること、または結紮することを要求する。手術の腔の固有の空間的考慮に起因して、外科医は、しばしば、血管を縫合するか、または出血を制御するその他の伝統的方法、例えば、クランプ止め、および／または切開された血管の結紮を実施する困難性を見出す。電気外科用鋏を利用することにより、外科医は、機械的切断作用および電気外科的切断の組み合わせを利用する所定の外科的手順の間に組織を切断し得る。外科医は、内視鏡電気外科的鉗子を利用することにより、上記組織へのジョー部材を通って付与される電気外科用エネルギーの強度、頻度および持続時間を単に制御することにより、焼灼、凝固／乾燥、そして／または単に出血を減少または遅延し得る。
【０００６】
より大きな血管を処置するためには、外科医は、組織または血管をシールすることを選び得る。組織をシールすることは、血管を単に凝固または焼灼することとは基本的に異なる。本明細書の目的には、「凝固」は、組織細胞が破壊かつ乾燥される組織を乾燥するプロセスとして定義される。「血管をシールすること」または「組織をシールすること」は、組織中のコラーゲンを、それが、隣接する組織構造間の限られた区分で融合塊に再編成されるように液化するプロセスとして定義される。より大きな血管（または組織）を効率的にシールするために、２つの主要な機械的パラメーターが正確に制御されなければならない−好ましくは約３ｋｇ／ｃｍ２〜約１６ｋｇ／ｃｍ２である血管（組織）に付与される圧力、および好ましくは約０．００１インチ〜約０．００６インチの電極間の間隙距離である。内視鏡血管シーリング器具のいくつかの例は、同一人が所有する特許文献１、特許文献２、特許文献３、特許文献４および特許文献５に開示され、これらすべての全体の内容は、本明細書によって、参考として本明細書中に援用される。
【０００７】
一般に、電気外科用鉗子の電気的凝固は、以下の２つの分類にカテゴリー分けされ得る：１）モノポーラ電気外科用鉗子；および２）バイポーラ電気外科用鉗子である。モノポーラ鉗子は、クランプ止めされたエンドエフェクタをともなう１つの能動電極、および患者の外部に付着される遠隔の患者戻り電極またはパッドを利用する。電気外科用エネルギーが印加されるとき、このエネルギーは、上記能動電極から手術部位に、患者を通り、そして戻り電極までたどる。
【０００８】
バイポーラ電気外科用鉗子は、エンドエフェクタの内部の対向する面上に配置され、そして両方が電気外科用電源に電気的に接続される２つのほぼ対向する電極を利用する。各電極は、異なる電位に荷電される。組織は、電気エネルギーの伝導体であるので、これらエフェクタを用いてそれらの間に、組織を握り、シールし、または切断するとき、電気的エネルギーは、これら組織を通って選択的に移され得る。
【０００９】
血管およびその他の組織を焼灼、凝固切断またはシールするためのバイポーラ内視鏡鉗子を利用することの固有の欠点の１つは、外科医が、手術の間に、このバイポーラ鉗子が特定の適用のためにモノポーラ器具を用いる利点をとるためにバイポーラ鉗子を置換する必要性を余儀なくするモノポーラ器具の利点または長所（すなわち、モノポーラ器具は、無血管組織を通って移動し、そして狭い組織平面を通って解剖する能力を有している）に一致する能力がないことである。同様に、いくつかのモノポーラ内視鏡適用（例えば、大きな組織構造をシールするため）の間に、このモノポーラ器具をバイポーラ鉗子で置換することが有利であり得る。例えば、胆嚢切除術の間に、胆嚢が肝臓から切開され、これは、代表的には、内視鏡モノポーラ器具、例えば、電気外科用ブレード、電気外科用ペンシル、ループ電極などを用いることを仕立て得る。しかし、胆嚢切除術の間、胆嚢管または胆嚢動脈をシールすることがまた必要であり得、これは、このモノポーラ器具を置換することが必要であることを余儀なくするバイポーラ血管シーリング器具を必要とし得る。外科医は、バイポーラ器具を利用するために手術腔からモノポーラ器具を繰り返し除去することが必要であり得、その逆もまた同じである。
【特許文献１】米国特許出願第１０／１１６，９４４号
【特許文献２】米国特許出願第１０／１７９，８６３号
【特許文献３】米国特許出願第１０／３６９，８９４号
【特許文献４】米国特許出願第１０／１８０，９２６号
【特許文献５】ＰＣＴ／ＵＳ０１／１１３４０
【発明の開示】
【発明が解決しようとする課題】
【００１０】
従って、モノポーラおよびバイポーラ操作の両方の利点を組み合わせ得る器具を開発し、それによって外科医が手術の特定の手順の間にこれら器具を置換する必要性を減じる必要性が存在する。
【課題を解決するための手段】
【００１１】
（要旨）
本開示は、組織を処置するための内視鏡鉗子に関し、そしてそれに固定されたシャフトを有するハウジング、およびこのシャフトの遠位端に取り付けられた第１および第２のジョー部材を含む。これら鉗子はまた、上記ジョー部材が互いに対して間隔を置いた関係で配置される第１の位置から、上記ジョー部材が協働してそれらの間に組織を握る第２の位置まで、ジョー部材を互いに対して移動するためのアクチュエータを含む。電気外科用エネルギーの供給源は、各ジョー部材に、これらジョー部材が、バイポーラモードで選択的に作動し得るように接続され、これは、これらジョー部材が、組織を処置するためにそれらの間に保持された組織を通じてバイポーラエネルギーを伝導することを可能にする。この鉗子はまた、少なくとも１つの第１のジョー部材内に収容されたモノポーラ要素を含み、これは、上記第１のジョー部材内の第１の位置からこの第１のジョー部材の遠位方向の第２の位置まで選択的に移動可能である。このモノポーラ要素は、電気外科用エネルギーの供給源に接続され、そして上記ジョー部材とは独立に選択的に能動化可能（ａｃｔｉｖａｔｅａｂｌｅ）である。
【００１２】
本開示の１つの実施形態では、上記鉗子は、上記第１のジョー部材および第２のジョー部材の少なくとも１つの中に規定されるナイフチャネル内を選択的に移動可能であるナイフを含み、この第１のジョー部材と第２のジョー部材との間に配置された組織を切断する。有利には、ナイフアクチュエータは、使用者がこのナイフを選択的に移動することを可能にし、上記ジョー部材間に配置された組織を切断する。上記電気外科用エネルギーの供給源は、各個々のジョー部材に、電位を、これらジョー部材が、それらの間に保持された組織を通じてバイポーラエネルギーを伝導し、組織シールを行い得るように保持する。
【００１３】
有利には、上記ナイフは、最初に、上記第１のジョー部材と第２のジョー部材との間に配置された組織を切断し、そして次にこれらジョー部材から遠位方向に延びてモノポーラ様式で組織を処置するよう設計されている。好ましくは、上記鉗子は、上記ナイフ（またはモノポーラ要素）が、これらジョー部材の遠位端から延びるとき、この上記ナイフ（またはモノポーラ要素）の電気的能動化を可能にするだけの安全装置（例えば、安全回路または機械的安全要素）を含む。この安全装置はまた、回路を通じてか、または機械的安全要素を利用して上記ジョー部材の能動化を解き得る。
【００１４】
１つの実施形態では、上記第１のジョー部材および第２のジョー部材の各々は、細長いスロットを含み、これは、その個々の長さに沿って実質的に対向して、これら２つの対向する細長いスロットが、ナイフを往復移動し、これら２つのジョー部材間に配置された組織を分割するナイフチャネルを形成するように走る。
【００１５】
別の実施形態では、上記鉗子は血管シーリング鉗子であり、そして上記ジョー部材の少なくとも１つは、その上に配置された少なくとも１つの非伝導性停止部材を含み、これは、第１のジョー部材と第２のジョー部材との間の距離を、組織がそれらの間に保持されるときに制御する。有利には、上記停止部材（単数または複数）は、組織がこれらジョー部材間に圧縮されるとき、ジョー部材間の約０．００１〜約０．００６インチの間隙距離を維持する。
【００１６】
本開示による、なお別の実施形態では、上記鉗子は、ナイフを移動しジョー部材間に配置された組織を切断し、そして上記第１のジョー部材内の第１の位置からこの第１のジョー部材の遠位方向の第２の位置まで上記ナイフまたは別個のモノポーラ要素を延ばすという両方を行うアクチュエータを含む。本開示による、なおさらに別の実施形態では、上記鉗子は、ジョー部材を互いに対して上記第１の位置から第２の位置まで移動させてそれらの間の組織を握り、そして上記モノポーラ要素を、上記第１のジョー部材内の第１の位置から、この第１のジョー部材の遠位方向にある第２の位置まで延ばすという両方を行うように作動するアクチュエータを含む。
【００１７】
本開示による別の実施形態では、第１のアクチュエータは、組織を握るためにジョー部材を作動するように設計され得、そして第２のアクチュエータは、上記第１のジョー部材内の第１の位置からこの第１のジョー部材の遠位方向の第２の位置に上記モノポーラ要素を延ばすように作動して含まれ得る。
【００１８】
本開示はまた、内視鏡鉗子に関し、これは、それに固定されたシャフトを有するハウジング、およびこのシャフトの遠位端に取り付けられた第１のジョー部材および第２のジョー部材を含む。この第１のジョー部材は、上記第２のジョー部材に対して遠位方向に延びるような形状である。アクチュエータは、ジョー部材を、互いに対して、上記ジョー部材が互いに対して間隔を置いた関係で配置される第１の位置から、これらジョー部材が協働してそれらの間に組織を握る第２の位置移動するために含められる。これらジョー部材は、電気外科用エネルギーの供給源に、これらジョー部材が選択的にバイポーラモードで作動し得るように接続され、これは、これらジョー部材がそれらの間に保持された組織を通じてバイポーラエネルギーを伝導することを可能にする。
【００１９】
上記鉗子はまた、制御スイッチを含み、これは、選択的能動化に際し、上記第２のジョー部材の能動化を解き、そして上記第１のジョー部材を第１の電位で能動化する。相対的に同時に、上記制御スイッチはまた、異なる電位で戻り電極または戻りパッドを能動化し、これは、患者に隣接して配置され、上記第１のジョー部材がモノポーラ様式で組織を選択的に処置することを可能にする。好ましくは、安全装置が、上記ジョー部材が上記第２の位置に配置されるとき、制御スイッチの電気的能動化を制限するために含められる。
【００２０】
本開示はまた、それに固定されたシャフトを有するハウジングを含む内視鏡鉗子に関する。このシャフトは、その遠位端に取り付けられた第１のジョー部材および第２のジョー部材を含む。好ましくは、この第１のジョー部材および第２のジョー部材の各々は、テーパー状または細長い遠位端を含む。上記鉗子はまた、ジョー部材を互いに対して、これらジョー部材が互いに対して間隔を置いた関係で配置される第１の位置から、これらジョー部材が協働してそれらの間に組織を握る第２の位置まで移動するためのアクチュエータを含む。電気外科用エネルギーの供給源は、各ジョー部材に、これらジョー部材が選択的にバイポーラモードで作動し得るように接続され、これは、上記ジョー部材がそれらの間に保持された組織を通じてバイポーラエネルギーを伝導することを可能にする。
【００２１】
制御スイッチがまた含められ、これは、その選択的能動化に際し、上記第１のジョー部材および第２のジョー部材を第１の電位で能動化し、そして戻り電極を異なる電位で能動化する。この戻り電極は、好ましくは、患者に隣接して配置され、これは、上記第１のジョー部材および第２のジョー部材が、モノポーラ様式で組織を選択的に処理することを可能にする。好ましくは、上記鉗子は、上記ジョー部材が、上記第２の位置に配置されるとき、上記制御スイッチの電気的能動化を可能にするのみである安全装置を含む。
【００２２】
本開示の別の実施形態では、上記アクチュエータは選択的にロック可能であり、上記ジョー部材の間に約３ｋｇ／ｃｍ２〜約１６ｋｇ／ｃｍ２、そして、好ましくは、約７ｋｇ／ｃｍ２〜約１３ｋｇ／ｃｍ２の範囲にある閉鎖圧力を維持し、これは、有効かつ信頼性ある組織シールを生成することで有利である。なお別の実施形態では、上記鉗子はまた、上記ジョー部材を、上記シャフトを通って規定される長軸方向軸の周りに回転するための回転アセンブリを含み得る。有利には、この鉗子は、片側性のジョーアセンブリを含み、すなわち、第１のジョー部材が第２のジョー部材に対して移動可能であり、そしてこの第２のジョー部材が実質的に固定されている。あるいは、上記鉗子は、両側性ジョーアセンブリを含み得、すなわち、両方のジョー部材は互いに対して移動する。
【００２３】
好ましくは、スプリングが、上記アクチュエータまたは駆動アセンブリとともに含められ、上記移動可能ハンドルの作動を容易にし、そして閉鎖力が約３ｋｇ／ｃｍ２〜約１６ｋｇ／ｃｍ２の範囲の作動範囲内に維持されることを確実にする。
【００２４】
なお別の実施形態では、上記モノポーラ要素は少なくとも上記第１のジョー部材内に収容され、そして上記ナイフと一体で付随する。この特定の実施形態では、上記モノポーラ要素は、上記ナイフとともに、上記第１のジョー部材内の第１の位置から、この第１のジョー部材の遠位方向の第２の位置まで選択的に移動可能である。好ましくは、上記ナイフチャネルは、上記ジョー部材の１つ内に規定される第１のナイフチャネル、および他方のジョー部材内に配置される第２のナイフチャネルを含み、ここで、この第２のナイフチャネルは、上記第１のナイフチャネルより幅広く、それを通る上記モノポーラ要素の往復移動を可能にする。
【００２５】
好ましくは、上記第１のジョー部材は、その遠位端に規定されるアパーチャを含み、これは、組織のモノポーラ処置のためにそれを通るモノポーラ要素の選択的遠位方向転換を可能にする。安全装置がまた含められ得、これは、上記モノポーラ要素が上記第１のジョー部材の遠位端から延びるときこのモノポーラ要素の電気的能動化を可能にするのみである。好ましくは、引き金が作動し、上記ジョー部材間に配置された組織を分割するためのナイフを移動し、および上記モノポーラ要素を、上記ジョー部材内の第１の位置から、この第１のジョー部材の遠位方向の第２の位置まで延ばすことの両方を行う。
【００２６】
本開示はまた、電気外科用電源からの電気外科用エネルギーで組織を処置する方法に関し、この方法は、シャフトがそれに固定されたハウジングを有する内視鏡鉗子を提供する工程を含む。このシャフトは、その遠位端に取り付けられた第１のジョー部材および第２のジョー部材を含む。アクチュエータが、これらジョー部材を互いに対して、これらジョー部材が互いに対して間隔を置いた関係で配置される第１の位置から、これらジョー部材が協働してそれらの間に組織を握る第２の位置に移動するために含められる。モノポーラ要素がまた含められ、これは、少なくとも上記第１のジョー部材内に収容され、そしてこの第１のジョー部材内の第１の位置から、この第１のジョー部材の遠位方向の第２の位置まで選択的に移動可能である。戻り電極が提供され、そして患者組織と接触して配置される。
【００２７】
上記方法はまた、以下の工程を含む：各ジョー部材に、モノポーラ要素および電気外科用電源への戻り電極を接続する工程；ジョー部材間に組織を握る工程；上記ジョー部材間に配置された組織をバイポーラ様式で処置するために上記ジョー部材を選択的に能動化する工程；および上記ジョー部材とは独立に上記モノポーラ要素および戻り電極を選択的に能動化し、モノポーラ様式で組織を処置する工程。
【００２８】
好ましくは、組織を処置するために上記ジョー部材を選択的に能動化する工程の後、上記方法は、上記ジョー部材の遠位端から上記モノポーラ要素を延ばす工程を含む。有利には、上記モノポーラ要素を選択的に能動化する工程は、上記ジョー部材の能動化を解くことを含む。
【００２９】
組織を処置するために上記ジョー部材を選択的に能動化する工程の後、上記方法は、上記ジョー部材から組織を放出する工程を包含し得る。
【００３０】
上記目的を達成するために、本発明は、例えば、さらに以下を提供する。
（項目１）  内視鏡鉗子であって、以下：
ハウジングであって、該ハウジングが、該ハウジングに取り付けられたシャフトを有し、該シャフトが、その遠位端に取り付けられた第１ジョー部材および第２ジョー部材を備える、ハウジング；
互いに対してジョー部材を、該ジョー部材が互いに対して間隔を開けた関係で配置される第１位置から、該ジョー部材が協働して組織をそれらの間につかむ第２位置に移動させるための、アクチュエータ；
各ジョー部材が、該ジョー部材がそれらの間に保持される組織を介してバイポーラエネルギーを選択的に伝導し得るように、電気外科エネルギーの供給源に接続されるように構成される、各ジョー部材；
ナイフであって、該ナイフが、該第１ジョー部材と該第２ジョー部材のうちの少なくとも１つ内に規定されるナイフチャネル内で選択的に移動可能であり、該第１ジョー部材と該第２ジョー部材との間に配置された組織を切断する、ナイフ；および
少なくとも該第１ジョー部材内に収容され、該ナイフと一体的に関連するモノポーラ要素であって、該モノポーラ要素が、該ナイフと関連して、該第１ジョー部材内の第１位置から該第１ジョー部材に対して遠位の第２位置へと選択的に移動可能であり、該モノポーラ要素が、該電気外科エネルギーの供給源に接続されるように構成され、かつ該ジョー部材から独立して選択的に能動化可能である、モノポーラ要素、
を備える、内視鏡鉗子。
（項目２）  項目１に記載の内視鏡鉗子であって、前記鉗子が、脈管シーリング鉗子であり、前記ジョー部材の少なくとも１つが、その上に配置された少なくとも１つの非伝導性停止部材を備え、該非伝導性停止部材が、前記第１ジョー部材と前記第２ジョー部材との間の距離を、組織がそれらの間に保持されるときに制御する、内視鏡鉗子。
（項目３）  項目１に記載の内視鏡鉗子であって、前記ナイフチャネルが、前記ジョー部材の一方の中に規定される第１ナイフチャネルおよび前記ジョー部材の他方の中に規定される第２ナイフチャネルを備える、内視鏡鉗子。
（項目４）  項目３に記載の内視鏡鉗子であって、前記第２ナイフチャネルが、前記第１ナイフチャネルよりも広く、モノポーラ要素のその中を通る往復運動を可能にする、内視鏡鉗子。
（項目５）  項目４に記載の内視鏡鉗子であって、前記第１ジョー部材が、その遠位端に規定される開口部を備え、これによって、組織のモノポーラ処置のために、その開口部を通るモノポーラ要素の選択的遠位への移動が可能になる、内視鏡鉗子。
（項目６）  項目１に記載の内視鏡鉗子であって、前記モノポーラ要素が、前記第１ジョー部材の遠位端から伸長する場合にのみ、該モノポーラ要素の電気的作動を可能にする安全装置を備える、内視鏡鉗子。
（項目７）  項目１に記載の内視鏡鉗子であって、トリガーが、前記ジョー部材の間に配置された組織を分離するように前記ナイフを移動させ、前記モノポーラ要素を前記第１ジョー部材内の第１位置から該第１ジョー部材に対して遠位の第２位置へと伸長させるように作動する、内視鏡鉗子。
【発明の効果】
【００３１】
モノポーラおよびバイポーラ操作の両方の利点を組み合わせた器具が得られた。これによって外科医は手術の特定の手順の間にこれら器具を置換する必要性を減じることが可能である。
【発明を実施するための最良の形態】
【００３２】
（詳細な説明）
ここで、図１Ａ〜１Ｄを参照して、種々の外科手順での使用のための内視鏡鉗子１０の一実施形態が示される。本明細書における目的のために、脈管シーリング鉗子が示され、記載されるが、他の型の鉗子または鋏が利用され得ることが想定される。この鉗子および鋏は両方ともに、焼灼、凝固または他の目的のために組織を処置し、本明細書中で記載されるような、モノポーラ適用のために構成され得る。さらに、図面は、内視鏡的外科手順と組合せて使用するための鉗子１０を図示するが、本開示は、より伝統的な開放外科手順のために使用され得る。本明細書における目的のために、鉗子１０は、内視鏡機器の観点で記載されるが、鉗子１０の開放バージョンもまた、同じか、または類似の手術構成要素および以下に記載されるような特徴を備え得る。
【００３３】
鉗子１０は、一般に、ハウジング２０、ハンドルアセンブリ３０、回転アセンブリ８０、トリガーアセンブリ７０およびエンドエフェクタアセンブリ１００を備え、これらは、相互に協働して、組織を把持し、処置し、そして分割する。本明細書における目的のために、ハンドルアセンブリ３０、回転アセンブリ、トリガーアセンブリ７０およびエンドエフェクタアセンブリ１００は、一般的に記載されるにすぎない。これらの協働要素の全てのより詳細な説明は、共有に係る、同時係属中の米国特許出願第１０／４６０，９２６号（その全内容が、本明細書中に、参考として本明細書により援用される）に記載される。
【００３４】
鉗子１０は、シャフト１２を備え、このシャフト１２は、エンドエフェクタアセンブリ１００を機械的に係合するように寸法決めされた遠位端１６、およびハウジング２０を機械的に係合する近位端１４を有する。図面および以下の説明において、用語「近位」とは、従来どおり、使用者に近い方の鉗子１０の端部を指し、一方で、用語「遠位」は、使用者から遠い方の端部を指す。シャフト１２が、いかにしてエンドエフェクタアセンブリ１００に接続し、そして、近位端がいかにハウジング２０に接続するかの詳細は、上記の共有に係る、同時係属中の米国特許出願第１０／４６０，９２６号において説明される。
【００３５】
図１Ａにおいて最も良く認められるように、鉗子１０はまた、鉗子１０を電気外科エネルギーの供給源（例えば、発電機３００）に接続する、電気外科ケーブル３１０を備える。ケーブル３１０は、米国特許出願第１０／４６０，９２６号に関してより詳細に説明されるように、ケーブル線３１０ａ、３１０ｂおよび３１０ｃに内部で分けられ、この各々が、鉗子１０を通るそれぞれの供給経路を通して電気外科エネルギーをエンドエフェクタアセンブリ１００へと伝達する。好ましくは、Ｖａｌｌｅｙｌａｂ（Ｂｏｕｌｄｅｒ  ＣｏｌｏｒａｄｏにあるＴｙｃｏ  Ｈｅａｌｔｈｃａｒｅ  ＬＰの一事業部）より販売されるもの（例えば、ＦＯＲＣＥ  ＥＺＴＭ電気外科発電機、ＦＯＲＣＥ  ＦＸＴＭ電気外科発電機、ＦＯＲＣＥ  １ＣＴＭ電気外科発電機、ＦＯＲＣＥ  ２ＴＭ電気外科発電機、ＳｕｒｇｉＳｔａｔＴＭ  ＩＩ電気外科発電機）のような発電機が、電気外科エネルギーの供給源として使用される。このようなシステムの一つは、共有に係る米国特許第６，０３３，３９９号（その全内容が、本明細書中に、参考として本明細書により援用される）に記載される。他のシステムは、共有に係る米国特許第６，１８７，００３号（その全内容が、本明細書中に、参考として本明細書により援用される）に記載されている。
【００３６】
好ましくは、発電機３００は、隔離された出力、付属品の独立した作動を含む、種々の安全性かつ性能上の特徴を備える。好ましくは、この電気外科発電機３００は、ＶａｌｌｅｙｌａｂのＩｎｓｔａｎｔ  ＲｅｓｐｏｎｓｅＴＭ技術を備え、これは、毎秒２００回、組織内での変化を感知するための高度なフィードバックシステムを提供し、適切な電力を維持するために電圧および電流を調節する。
【００３７】
ハンドルアセンブリ３０は、固定式ハンドル５０および可動式ハンドル４０を備える。固定式ハンドル５０は、ハウジング２０に一体型で結合しており、ハンドル４０は、固定式ハンドル５０に関して移動可能である。回転アセンブリ８０は、好ましくは、ハウジング２０と一体型で結合しており、長手軸「Ａ」の周りのいずれの方向にも、約１８０°回転可能である。ハンドルアセンブリ３０および回転アセンブリ８０の詳細は、米国特許出願第１０／４６０，９２６号に関してより詳細に記載される。
【００３８】
上で言及されるように、エンドエフェクタアセンブリ１００は、シャフト１２の遠位端１６に装着されており、一対の対向するジョー部材１１０および１２０を備える。ハンドルアセンブリ３０の可動式ハンドル４０は、最終的には内部に配置される駆動アセンブリ（図示せず）に接続され、これらは共に、機械的に協働して、ジョー部材１１０および１２０の、開位置から締付け位置すなわち閉位置への移動を伝える。開位置では、ジョー部材１１０および１２０は互いに関して間隔を空けた関係で配置され、閉位置では、ジョー部材１１０および１２０は、その間に組織を把持するように協働する。
【００３９】
ここで、図１Ａ〜３に関して記載されるような本開示の一実施形態のより詳細な特徴に戻って、可動式ハンドル４０は、そこを通って規定される開口部４２を備え、開口部４２は、使用者が把持し、固定式ハンドル５０に関してハンドル４０を移動することが可能になる。より具体的には、ハンドル４０は、固定式ハンドル５０に関する第１の位置から、固定式ハンドル５０により近い第２の位置まで、旋回点（図示せず）の周りで選択的に回転可能であり、これは、ジョー部材１１０および１２０の互いに関する移動を伝える。
【００４０】
可動式ハンドル４０の下側端は、フランジ９０を備え、これは、ハンドル４０の近位方向への移動の際に、固定式ハンドル５０内を往復移動する。フランジ９０は、固定式ハンドル５０内に配置された所定のチャネル（図示せず）内に乗り、固定式ハンドル５０に関して可動式ハンドル４０を固定する。
【００４１】
図１Ｃにおいて最も良く示されるように、ロッキングフランジ４４は、ハンドル４０の上側部分の上にあるハンドル４０の外周に配置される。ロッキングフランジ４４は、ハンドル４０が非作動位置（すなわち、ジョー部材１１０および１２が開いている）にある場合に、トリガーアセンブリ７０が、始動することを防止する。理解され得るように、このことは、組織シールが完成する前の、組織の偶発的、または早期の切断を防止する。
【００４２】
同時係属中の米国特許出願番号１０／４６０，９２６に詳細に説明されるように、可動ハンドル４０は、シャフト１２の長手方向軸「Ａ」に対する旋回点の独特の位置に起因する、従来のハンドルアセンブリとは異なる機械的利点を提供するように設計される。換言すれば、この旋回点を駆動要素の上方に位置決めすることによって、使用者は、ジョー部材１１０および１２０を作動させるための、レバー様の機械的利点を得、適切かつ有効な組織シールを生じるために必要な力をなお発生させながら、使用者がより小さい力でジョー部材１１０および１２０を閉じることを可能にする。エンドエフェクタアセンブリ１００の単方向性の設計はまた、機械的利点を増加させることもまた、想定される。
【００４３】
図１Ａおよび１Ｄに最良に示されるように、エンドエフェクタアセンブリ１００は、対向するジョー部材１１０および１２０を備え、これらのジョー部材は、シーリングの目的で、組織を効果的につかむように協働する。エンドエフェクタアセンブリ１００は、単方向性のアセンブリとして設計される。すなわち、ジョー部材１２０は、シャフト１２に対して固定されており、そしてジョー部材１１０は、組織をつかむために、旋回ピン１３０の周りで旋回する。
【００４４】
より具体的には、単方向性のエンドエフェクタアセンブリ１００は、シャフト１２に対して固定されて設置された、１つの静止ジョー部材または固定ジョー部材１２０、および静止ジョー部材１２０に取り付けられた旋回ピン１０３の周りに取り付けられた、旋回ジョー部材１１０を備える。往復スリーブ６０は、シャフト１２内にスライド可能に配置され、そして駆動アセンブリ（図示せず）によって、遠隔操作される。この駆動アセンブリは、上に説明されたように、ハンドル４０と協働して、ジョー部材１１０および１２０を開閉する。旋回ジョー部材１１０は、移動止めまたは突出部１１７を備え、これは、ジョー部材１１０から、往復スリーブ６０に配置された開口部分６２を通って延びる（図１Ｄ）。旋回ジョー部材１１０は、スリーブ６０をシャフト１２内で軸方向にスライドさせることによって作動され、その結果、開口部分６２が、旋回ジョー部材１１０上の移動止め１１７に当接する。スリーブ６０を近位に引くことによって、間につかまれた組織の周りでジョー部材１１０および１２０が閉じ、そしてスリーブ６０を遠位に押すことによって、ジョー部材１１０および１２０が、接近および把持の目的で開く。
【００４５】
一旦、作動されると、ハンドル４０は、ほぼ円弧の様式で、固定ハンドル５０に向かって、旋回点の周りで移動し、これによって、駆動フランジ（図示せず）を、駆動アセンブリ（図示せず）に対して近位に押し付け、これが次に、往復スリーブ６０を、ほぼ近位の方向に引いて、ジョー部材１１０を、ジョー部材１２０に対して閉じる。さらに、ハンドル４０の近位への回転によって、ロッキングフランジ４４が解放され、すなわち、選択的な作動のために、トリガーアセンブリ７０が「ロック解除」される。これらの特徴は、共有にかかる同時係属中の米国出願１０／４６０，９２６に示されており、そしてこの米国出願を参照して、詳細に説明される。
【００４６】
図５Ａ〜５Ｃに最良に図示されるように、ナイフチャネル１１５ａおよび１１５ｂは、それぞれジョー部材１１０および１２０の中心を通って延び、その結果、ジョー部材１１０および１２０が閉位置にある場合に、刃１８５が、ジョー部材１１０と１２０との間につかまれる組織を切断し得る。より具体的には、刃１８５は、ジョー部材１１０および１２０が閉じている場合にのみ、組織を通して進められ得、これによって、組織を通る刃１８５の不慮の作動または尚早な作動を防止する。単に押すことによって、ナイフチャネル１１５（半チャネル１１５ａおよび１１５ｂから作製される）は、ジョー部材１１０および１２０が開いている場合に遮断され、そしてジョー部材１１０および１２０が閉じている場合に、遠位への作動のために整列される。
【００４７】
図１Ｄに最良に示されるように、ジョー部材１１０は、ジョーハウジング１１６を備え、このハウジングは、絶縁基材または絶縁体１１４、および導電性表面１１２を備える。絶縁体１１４は、好ましくは、導電性シーリング表面１１２をしっかりと係合するような寸法にされる。これは、スタンピングによって、オーバーモールディングによって、スタンピングされた導電性シーリングプレートをオーバーモールディングすることによって、金属の射出成型されたシールプレートをオーバーモールディングすることによって、そして／または当該分野において公知の他の様式によって、達成され得る。スイッチ２００からのトリガリード線３１１が、シールプレート１１２に電気的に接続されることが、想定される。
【００４８】
これらの全ての製造技術は、導電性表面１１２を有するジョー部材１１０を生じ、この表面は、絶縁基材１１４によって、実質的に囲まれる。絶縁体１１４、導電性シーリング表面１１２および外側の非伝導性ジョーハウジング１１６は、好ましくは、組織のシーリングに関する公知の望ましくない影響（例えば、フラッシュオーバー、熱拡散および迷走電流散逸）の多くを制限し、そして／または減少させるような寸法にされる。
【００４９】
図１Ｄに最良に見られるように、ジョー部材１１０はまた、突出部１１７を備える旋回フランジ１１８を備える。突出部１１７は、旋回フランジ１１８から延び、そして円弧形状の内側表面を備え、この内側表面は、スリーブの引き込みの際に、スリーブ６０の開口部分６２と嵌合して係合するような寸法にされる。旋回フランジ１１８はまた、往復スリーブ６０の引き込みの際に、旋回ピン１０３と係合して、ジョー部材１１０がジョー部材１２０に対して回転することを可能にするような寸法にされる。旋回ピン１０３はまた、静止ジョー部材１２０を、ジョー部材１２０の近位部分の内部に設置する。
【００５０】
好ましくは、導電性表面１１２および絶縁体１４４は、組み立てられると、ナイフ刃１８５の往復のための、これらの導電性表面および絶縁体に沿って規定される長手軸方向に配向するナイフスロット１１５ａを形成する。上述のように、ナイフチャネル１１５ａは、静止ジョー部材１２０に規定された対応するナイフチャネル１１５ｂと協働して、ナイフ刃１８５の、好ましい切断面に沿った長手軸方向の並進を容易にし、そして形成された組織シールに沿って、効果的かつ正確に組織を分離する。
【００５１】
ジョー部材１２０は、ジョー部材１１０と類似の要素（例えば、絶縁体１２４および導電性シーリング表面１２２を有するジョーハウジング１２６）を備える。この導電性シーリング表面１２２は、絶縁体１２４としっかりと係合するような寸法にされる。同様に、導電性表面１２２および絶縁体１２４は、組み立てられると、これらに沿って規定される、長手軸方向に配向するチャネル１１５ｂを備え、このチャネルは、ナイフ刃１８１５の往復のためのものである。上述のように、ジョー部材１１０および１２０が組織４２０の周りで閉じている場合、ナイフチャネル１１５ａおよび１１５ｂは、完全なナイフチャネル１１５を形成し、ナイフ１８５の、遠位の様式での長手軸方向の並進を可能にして、組織のシールに沿って組織を切断する。
【００５２】
上述のように、ジョー部材１２０は、一連の止め部材１５０ａ〜１５０ｃを備え得、これらのとめ部材は、好ましくは、導電性シーリング表面１２２の内側に面する表面に配置されて、組織の把持および操作を容易にし、そして組織のシーリングおよび切断の間、対向するジョー部材１１０と１２０との間にギャップ「Ｇ」（図５Ａ）を規定する。一連の止め部材１５０ａ〜１５０ｃは、特定の目的に依存して、または所望の結果を達成するために、ジョー部材１１０と１２０との一方または両方において、使用され得ることが想定される。これらおよび他の想定される止め部材１５０ａ〜１５０ｃ、ならびにこれらの止め部材１５０ａ〜１５０ｃを導電性シーリング表面１１２、１２２に取り付け、そして／または固定するための、種々の製造プロセスおよび組み立てプロセスの詳細な議論は、同一人に譲渡された同時係属中の米国出願番号ＰＣＴ／ＵＳ０１／１１４１３（これは、その全体が本明細書中に参考として援用される）に記載されている。
【００５３】
ジョー部材１２０は、回転アセンブリ８０の一部分である回転管（図示せず）の端部に固定されるように設計され、その結果、この管の回転は、エンドエフェクタアセンブリ１００に回転を付与する。ジョー部材１２０は、回転管（図示せず）を介して、第２の電位に接続され、この回転管は、その近位端において、ケーブル３１０からのリード線３１０ｃに接続される。回転アセンブリ８０へのジョー部材１２０の機械的かつ電気機械的係合に関する詳細は、上述の共有に係る同時係属中の米国特許出願番号１０／４６０，９２６に記載されている。
【００５４】
上述のように、ジョー部材１１０および１２０は、シーリングが望まれるまで組織を操作するために、開かれ、閉じられ、そして回転され得る。これによって、使用者が、作動およびシーリングの前に、鉗子１０を位置決めおよび再位置決めすることを可能にする。図１Ａに図示されるように、エンドエフェクタアセンブリ１００は、回転アセンブリ８０の回転によって、長手方向軸「Ａ」の周りで回転する。スイッチ２００から回転アセンブリ８０を通り、シャフト１２に沿い、そして最終的にジョー部材１１０までの、トリガリード線３１１の独特の供給経路は、使用者が、ケーブルリード線を絡ませることも、過度に緊張させることもなく、エンドエフェクタアセンブリ１００を、時計回り方向と反時計回り方向との両方で、約１８０°回転させることを可能にする。ケーブル３１０からの他のケーブルリード線３１０ｃは、回転管（図示せず）の近位端に融合またはクリップ止めされ、そして一般に、ジョー部材１１０および１２０の回転によって、影響を受けない。理解され得るように、このことは、組織の把持および操作を容易にする。
【００５５】
再度、図１Ａおよび１Ｃに最良に示されるように、トリガーアセンブリ７０は、可動ハンドル４０を頂部に設置し、そしてナイフアセンブリ１８０（図２、３、４、および５Ａ〜５Ｃ）と協働して、組織のシールに通して選択的にナイフ１８５を並進させる。より具体的には、トリガーアセンブリ７０は、フィンガーアクチュエータ７１および旋回ピン７３を備え、この旋回ピンは、トリガーアセンブリ７０をハウジング２０に設置する。フィンガーアクチュエータ７１は、ハンドル４０が非作動位置に配置される場合（すなわち、ジョー部材１１０および１２０が開いている場合）、ハンドル４０上のロッキングフランジ４４に当接するような寸法にされる。
【００５６】
トリガーアセンブリ７０は、ナイフアセンブリ１８０に接続された駆動棒６４と協働するように設計される。フィンガーアクチュエータ７１の近位への作動は、トリガーアセンブリ７０を旋回ピン７３の周りで回転させ、これが次に、駆動棒６４を遠位に押し付け、これが最終的に、ナイフ１８５を組織に通して伸長させる。ばね（図示せず）が、ナイフアセンブリ１８０を引き込まれた位置に付勢するように使用され得、その結果、組織を切断した後に、ナイフ１８５およびナイフアセンブリ１８０は、発射前の位置に自動的に戻される。さらに、ハンドル４０が作動され、そしてフランジ９０が固定ハンドル５０内で完全に往復する場合、ロッキングフランジ４４が近位に移動し、トリガーアセンブリ７０の作動を可能にする。
【００５７】
図１Ａに最良に示されるように、ケーブル３１０は、固定ハンドル５０を通って、ハウジング２０の底部を通して供給される。第１のリード線３１０ｃは、ケーブル３１０の内部から直接、回転アセンブリ８０へと延び、そして管６０に（融合されたクリップまたはばねクリップなどを介して）接続されて、第２の電位を、固定ジョー部材１２０に伝導する。第２のリード線３１０ａおよび第３のリード線３１０ｂは、ケーブル３１０から延び、そしてハンドスイッチまたはジョイスティック様のトグルスイッチ２００に接続される。スイッチ２００は、使用者が、種々の異なる配向で鉗子１０を選択的に作動させることを可能にする（すなわち、作動を単純にする多配向作動）。スイッチ２００が押下されると、トリガリード線３１１が、第１の電位をジョー部材１１０に運ぶ。より具体的に、トリガリード線３１１は、スイッチ２００から、回転アセンブリ８０を通り、そして回転管（図示せず）の上部に沿って延び、そして最終的に、可動ジョー部材１１０に接続される。理解され得るように、スイッチ２００を鉗子１０上に配置することは、多くの利点を有する。例えば、スイッチ２００は、手術室中の電気ケーブルの量を減少させ、そして「視線」での作動に起因する、外科手順の間の誤った器具の作動の可能性を排除する。
【００５８】
上で詳細に説明されたように、第２の電位（すなわち、リード線３１０ｃ）は、回転管を介してジョー部材１２０に接続される。２つの電位は、好ましくは、トリガリード線を囲む絶縁シース（など）によって、互いから隔離される。好ましくは、ジョー部材１１０および１２０は、互いから絶縁されており、その結果、バイポーラ電気外科エネルギーが、組織を通して効果的に伝達され、組織シールを形成し得る。
【００５９】
一旦、シーリング部位のための所望の位置が決定され、そしてジョー部材１１０および１２０が適切に位置決めされると、ハンドル４０は、完全に圧縮され得、その結果、フランジ９０が、固定ハンドル５０内で往復およびロックされる。ハンドル４０は、ここで、固定ハンドル５０に対して位置が固定されており、これによって、次に、ジョー部材１１０および１２０が、組織の周りで閉位置にロックされる。鉗子１０は、ここで、電気外科エネルギーの選択的な適用および引き続く組織の分離の準備ができている。すなわち、可動ハンドル１０が固定ハンドル５０内で往復する場合、ロッキングフランジ４４が適所に移動して、上で説明されたように、トリガーアセンブリ７０の作動を可能にする。
【００６０】
理解され得るように、中心を越えての旋回の機械的利点と、圧縮ばね（図示せず）に関連する補助的な圧縮力との組み合わせは、組織の周りでの、所望の作業圧力内（約３ｋｇ／ｃｍ２〜約１６ｋｇ／ｃｍ２、そして好ましくは、約７ｋｇ／ｃｍ２〜約１３ｋｇ／ｃｍ２の範囲）での、一貫した、均一な、かつ正確な閉鎖圧力を容易にし、そして保証する。上述のように、少なくとも一方のジョー部材（例えば、１２０）は、止め部材（例えば、１５０ａ）を備え得、この止め部材は、２つの対向するジョー部材１１０および１２０の、互いに対する移動を制限する。好ましくは、一連の止め部材が、シーリングの間に、一貫した正確なギャップ距離「Ｇ」（図５Ａ）を与えるべきであり、この距離は、約０．００１インチ〜約０．００６インチの範囲、より好ましくは、約０．００２インチと約０．００３インチとの間である。組織に付与される電気外科エネルギーの強度、周波数および持続時間を制御することによって、使用者は、所定の組織部位に沿って、組織を効果的にシールし得る。
【００６１】
エネルギーが、ジョー部材１１０および１２０にわたって組織を通ってエンドエフェクタアセンブリ１００に選択的に伝達されるにつれて、組織シールが形成され、２つの組織半体を隔離する。この時点で、他の公知の脈管シーリング器具を用いて、使用者は、組織半体を組織シールに沿って分割するために、切断器具（図示せず）を使用して、鉗子１０を取り出し、そして交換しなければならない。これは、時間を浪費し、かつ退屈であり、そして理想的な組織切断面に沿った切断器具の誤整列または誤配置に起因して、組織シールを横切って不正確な組織分割を生じ得る。
【００６２】
本開示は、ナイフアセンブリ１８０を組み込み、このアセンブリは、トリガーアセンブリ７０を介して作動される場合、組織を、理想的な組織面に沿って、正確な様式で次第に選択的に分割して、この組織を効果的に、かつ信頼性高く分割する。ナイフアセンブリ１８０は、使用者が、シーリングの直後に、カニューレまたはトロカールポートを通して切断器具を交換することなく、組織を迅速に分離することを可能にする。理解され得るように、組織の正確なシーリングおよび分割が、同一の鉗子１０を用いて達成される。
【００６３】
一旦、組織が組織半体に分割されると、ジョー部材１１０および１２０は、ハンドル４０を再度つかむことによって開かれ得、これによって、フランジ９０が固定ハンドル５０から解放される。フランジをハンドルから解放することに関する詳細は、共有に係る同時係属中の米国出願番号１０／４８０，９２６に記載されている。
【００６４】
ここで、本開示の作動特徴に注目すると、図の大部分において見られるように、鉗子１０は、組織のバイポーラ電機外科処置（上記のような脈管シーリングによるか、または他の類似の器具を用いる凝固もしくは焼灼によるかのいずれか）と、組織のモノポーラ処置の両方のために設計される。例えば、図１Ａ〜Ｄおよび図２〜４は、モノポーラ要素１５４を備える鉗子１０の１つの実施形態を示し、このモノポーラ要素は、選択的に伸長され得、そして組織を処置するために選択的に作動され得る。図５Ａ〜５Ｃは、本開示の代替の実施形態を示し、これは、ナイフ１８５が、エンドエフェクタアセンブリ１００の遠位端から延び得、そしてモノポーラの様式で、選択的にエネルギー付与されて組織を処置し得ることを示す。図６Ａは、下方のジョー部材１２０’が上方のジョー部材１１０’から遠位に延び、そして外科医が下方のジョー部材１２０’に選択的にエネルギー付与し、そしてモノポーラの様式で組織を処置することを可能にする、別の実施形態を示す。図６Ｂは、ジョー部材１１０”および１２０”が、テーパー状の遠位端を備え、そして単一の電位で選択的にエネルギー付与されて、モノポーラの様式で組織を処置する、なお別の実施形態を示す。図７Ａ〜１０Ｂは、エンドエフェクタアセンブリおよび／または底部もしくは第２のジョー部材の他の構成を示し、これらは、特定の目的に適合するため、または所望の外科的結果を達成するために構成される。
【００６５】
図１Ａ〜１Ｄおよび２〜４は、モノポーラ要素１５４がエンドエフェクタアセンブリ１００の１つのジョー部材（例えば、ジョー部材１２０）内への選択的伸長のために収容される１つの実施形態を、示す。より具体的には、モノポーラ要素１５４がナイフアセンブリ１８０から独立して移動するように設計され、そしてトリガーアセンブリ７０のさらに近位への移動によってか（図１Ａ、２、３）、または別個のアクチュエータ４５０によって（図４）によって伸長し得る。
【００６６】
好ましくは、モノポーラ要素１５４は、図１Ｂにおいて最も良好に見られるように、シャフト１２の外部表面内の伸長ノッチ１３を通って伸びる往復運動ロッド６５に連結される。ナイフ１８５を動かすドライブロッド６０は、シャフト１２の内部表面を通って伸びる。モノポーラ要素１５４を伸ばすために、ジョー部材１１０および１２０は、最初は閉じており、そして、ナイフ１８５は、トリガーアセンブリ７０を利用して、遠位に前進する（図２を参照のこと）。図１Ｃにおいて最も良好に示されるように、トリガー７１は、最初は前進して、ナイフ１８５を遠位に移動させ、組織の中を切断する（すなわち、「切断」段階（映像に示す））。その後、図３に示すように、トリガー７１をさらに近位方向に動かして、モノポーラ要素１５４を伸ばし得る（すなわち、「伸長」段階（映像に示す））。
【００６７】
ジョー部材１１０および１２０が開いた位置にある場合に、モノポーラ要素１５４が伸長し得るように、トリガーアゼンブリ７０を設計してもよいことが想定される。例えば、トリガー７１は、その最初の、静止した、中立の、または動かす前の位置から、遠位に（または上向きに）移動して、モノポーラ要素１５４を前進させ得る。あるいは、モノポーラ要素１５４は、ジョー部材１１０および１２０の配向とは関係無く、前進し得る。例えば、トリガーアセンブリ７０は、側面に（すなわち、長手方向軸「Ａ」と直角に）移動して、モノポーラ要素１５４を前進させるように、設計され得るか、あるいは、トリガーアセンブリ７０は、トリガー７１が最も近位に移動するか（すなわち、上記のように、「切断」位置を通過するか）、および／またはトリガー７１が中立配向または動かす前の配向から遠位に前進する場合、モノポーラ要素１５４が伸長可能であるように、設計され得る。戻りバネ（示さず）は、トリガー７１の解放の際に、モノポーラ要素１５４を伸長していない位置に戻すために、含まれ得る。
【００６８】
モノポーラ要素１５４の伸長の際に、ジェネレーター３００は、好ましくは、鉗子１０を、バイポーラ活性化（ａｃｔｉｖａｔｉｏｎ）モード（すなわち、ジョー部材１１０および１２０に送達されるエネルギーの不活性化）から、モノポーラ活性化モード（すなわち、モノポーラ要素１５４の活性化）に、自動的にスイッチするように、設計される。理解され得るように、鉗子１０もまた（あるいは、代替的に鉗子１０は）、バイポーラ活性化モードとモノポーラ活性化モードとの間を手動でスイッチングするように、設計され得る。
【００６９】
上記のように、鉗子１０が、バイポーラ操作のために設計される場合、スイッチ２００の活性化は、エネルギーを、ジョー部材１１０から、組織を通って、そしてジョー部材１２０に伝達され、組織を処理する。モノポーラモードにおいて、スイッチ２００（または、別のスイッチ、例えば、フットスイッチ）の活性化は、エネルギーを、モノポーラ要素１５４に、そして、組織を通して、リターン電極５５０（例えば、患者に隣接して配置されるか、または患者に接触して配置される、リターンパッド）に、移す。モノポーラ活性化モードは、モノポーラ要素１５４が、迅速に無血管性の組織構造を処置すること、および／または、迅速に狭い組織平面を切断することを可能にする。一般に、このタイプのモノポーラ活性化は、添付の図面において示される、様々に記載された実施形態にわたって、共通する。
【００７０】
理解され得るように、トリガーアセンブリ７０は、モノポーラ要素１５４が伸長した場合に、電気エネルギーを伝えるように、電気的に設計され得ることもまた、想定される。例えば、トリガーアセンブリ７０は、トリガー７１の最も近位への移動が（図１Ｃ）、モノポーラ要素１５４を、伸長および活性化の両方を行うように、設計され得る。モノポーラ要素１５４が伸長した場合に、スイッチ２００がジョー部材１１０および１２０を作動させることを防ぐ、自動安全回路４６０（または、機械的なセイフティーロック（示さず））を用いてもよい。
【００７１】
図４は、本開示の別の実施形態を示し、ここでは、モノポーラ要素１５４は、第２のアクチュエータ４５０を用いて、選択的に伸長される。上記のように、ナイフ１８５は、ほぼ近位方向にトリガー７１を動かすことによって、前進する。モノポーラ要素１５４は、ナイフ１８５とは独立して選択的に前進することが可能であり、そして、ジョー部材１１０および１２０が開いた配向または、閉じた配向のいずれかに配置される場合に、伸長し得る。アクチュエータ４５０は、モノポーラ要素１５４が、一旦伸長すると自動的に、あるいは、活性化スイッチ２００またはおそらく別のスイッチ（示さず）によって手動で、モノポーラ要素１５４を活性化するように、電気的に設計され得ることもまた、想定される。上記のように、スイッチ２００の活性化がモノポーラ要素１５４を作動させるように、モノポーラ要素１５４が伸長した場合に、ジョー部材１１０および１２０を不活性化するように、自動安全回路４６０を用いてもよい。モノポーラ要素のための、別々の活性化スイッチの場合、安全回路は、スイッチ２００を不活性化する。
【００７２】
図５Ａ〜５Ｃは、本開示の代替的な実施形態を示し、ここでは、ナイフ１８５が、ジョー部材１１０および１２０を越えて遠位に伸長でき、そして、別々に作動して、組織を処置し得る。この場合において、ナイフは、ジョー部材１１０および１２０を越えて伸長し、ナイフ１８５は、モノポーラ要素となる。
【００７３】
例えば、図５Ａ〜５Ｃに示される活性化順序に示されるように、ナイフ１８５は、最初に、組織への接近の間、中立位置に設置され、そして、密閉プロセスの間、把持する。一旦、ジョー部材１１０および１２０が、組織に接近する場合、伸長したナイフチャネル１１５（それぞれ、上部ナイフチャネル１１５ａ、および、下部ナイフチャネル１１５ｂによって、規定される）が、ナイフ１８５を、組織を通って、ジョー部材１１０および１２０の間に配置する、選択的移動を可能にするように、形成される。トリガー７１の作動の際に、ナイフバー６４は、遠位に組織を通ってナイフチャネル１１５の遠位末端まで、ナイフ１８５に遠位に力を加える。止め具１１９は、一時的にナイフ１８５の運動を制限し、そして、切断ストロークの端部に関して、陽性の触感フィードバックをユーザーに提供ために、含まれる。トリガー７１のさらなる動きの際に、ナイフ１８５は、止め具１１９と結びついた、制限する力に打ち勝ち、ナイフバーによって、力を与えられ、ナイフチャネル１１５から外に、かつ、ジョー部材１１０および１２０の遠位末端を越えて、さらに伸長する。
【００７４】
一旦、ナイフ１８５がジョー部材１１０および１２０を越えて伸長すると、安全装置またはスイッチが、ジョー部材１１０および１２０に対して作動する回路を不活性化し、そして、ナイフ１８５に対して作動する回路を活性化し、その結果、スイッチ２００の活性化が、ナイフ１８５を作動し、そして、ジョー部材が、中立のまま維持されることが、想定される。例えば、止め具１１９は、安全スイッチとして作用し、その結果、ナイフチャネル１１５の外で、またはナイフチャネル１１５から離れて、ナイフ１８５によって力を加えられる場合、止め具１１９は、ジョー部材１１０および１２０に対して作動する回路を不活性化し、そして、モノポーラナイフ１８５およびリターン電極５５０に対して作動する電気回路の構成部分を活性化する。別々のリード６９を使用して、ジェネレーター３００と電気的に連通し得る。理解されるように、ここで、ナイフ１８５は、モノポーラ様式において使用されて、組織を処置し得る。
【００７５】
トリガー７１の解放の際に、ナイフ１８５は、ナイフチャネル１１５中に自動的に格納され、そして、図５Ａに示される、動かす前の位置に戻る。同時に、止め具１１９は、その最初の位置に戻り、ナイフチャネル１１５のその後の動きを、一時的にブロックする。
【００７６】
図６Ａは、本開示に従う鉗子１０’の別の実施形態を示す。この実施形態において、下側ジョー部材１２０’は、ジョー部材１１０’の遠位端を超えて延びるように設計される。作動のバイポーラモードからモノポーラモードへ切り替えるために、外科医は、ジョー部材１２０’に第１の電位へとエネルギーを付与し（ｅｎｅｒｇｉｚｅ）、帰還パッド（ｒｅｔｕｒｎ  ｐａｄ）５５０を第２の電位へと作動させる、スイッチまたはコントローラを作動させる。エネルギーは、ジョー部材１２０から、組織を通って、そして帰還パッド５５０へと伝達されて、組織を処置する。ジョー部材１２０’の遠位端は、その組織を処置するためのモノポーラ要素（ｍｏｎｏｐｏｌａｒ  ｅｌｅｍｅｎｔ）として作用し、電気外科手術的効果を高めるように、その要素に応じて形作られ得る。
【００７７】
図６Ｂは、本開示に従う鉗子１０”のなお別の模式的実施形態を示し、この実施形態において、両方のジョー部材１１０および１２０の遠位端は、モノポーラモードに配置された場合に組織を処置するように形作られる。より具体的には、その遠位先端（ｄｉｓｔａｌ  ｔｉｐ）１１２ａ”および１２２ａ”は、好ましくは、その鉗子１０”がモノポーラモードに配置された場合に、エネルギー送達を高めるために細長くされているかまたはテーパー付けられている。バイポーラモードに配置された場合、そのテーパー付けられた端１１２ａ”および１２２ａ”は、導電性プレート（ｅｌｅｃｔｒｉｃａｌｌｙ  ｃｏｎｄｕｃｔｉｖｅ  ｐｌａｔｅ）１１２”および１２２”の間での組織の処置をもたらさない。
【００７８】
コントロールスイッチ５００が好ましくは備えられ、このコントロールスイッチは、バイポーラモードとモノポーラモードとの間の移行を調節する。コントロールスイッチ５００は、ケーブル３６０および３７０を介して発電器３００に接続される。一連のリード線５１０、５２０および５３０は、それらのジョー部材１１０、１２０および帰還電極５５０に、それぞれ接続される。図６Ｃに示される表に最もよく示されるように、各リード線５１０、５２０、および５３０は、電位が供給されるか、または鉗子１０”の特定の「モード」に依存して、中性のままである。例えば、バイポーラモードにおいて、リード線５１０（および、次には、ジョー部材１１０”）は、第１の電位で電圧が印加され、リード線５２０（および、次には、ジョー部材１２０”）は、第２の電位で電圧が印加される。その結果として、電気外科的エネルギーは、ジョー部材１１０”から組織を通って、ジョー部材１２０”へと伝達される。帰還電極５５０は、オフのままであるかまたは中性のままである。
【００７９】
モノポーラモードにおいて、ジョー部材１１０”および１２０”はともに、同じ電位で電圧が印加され、その帰還パッド５５０は、第２の電位で電圧が印加され、そのジョー部材１１０”および１２０”から、組織を通って、その帰還電極５５０へと電流を流させる。このことにより、そのジョー部材１１０”および１２０”がモノポーラ様式で組織を処置することが可能になり、このモノポーラ様式は、上記のように、無血管性組織構造を有利に処置し、そして／または狭い組織平面の迅速な切開を可能にする。理解され得るように、リード線５１０、５２０および５３０は全て、鉗子１０”がスイッチを切られるかまたは不働である場合に、作動が停止され得る。
【００８０】
図７Ａおよび７Ｂは、本開示に従う鉗子１０の代替的実施形態を示す。この鉗子１０は、組織シーリング表面５２２の遠位端５２２ａが、底部ジョーハウジング５２４を超えて延びるように製造された、第２のまたは底部ジョー部材５２０を備える。より具体的には、この特定の実施形態において、その組織シーリング表面５２２は、好ましくは、スタンピングされたシート状金属から作製され、このシート状金属は、スタンピングされたシート状金属骨格５３０の上に形成される。そのシート状金属骨格５３０の近位端は、鉗子１０と関連付けられる旋回作用の特定の型に依存して、種々の旋回点（または開口（ａｐｅｒｔｕｒｅ））、カムスロット、または溝を備えて構成され得る。好ましくは、縁（ｈｅｍ）または脊柱様芯（ｓｐｉｎｅ）５３５は、骨格５３０に沿って延び、シーリング表面５２２を支持し、第２のジョー部材５２０にさらなる強度を提供する（図７Ｂを参照のこと）。理解され得るように、そのシーリング表面５２２は、当該分野で公知の多くの方法によって、縁５３５の上で支持され得る。絶縁層５４０は、好ましくは、骨格５３０と組織シーリング表面５２２との間に配置されて、作動の間に、導電性のシーリング表面５２２を縁５３５から分離する。スタンピングされた組織シーリング表面５２２は、好ましくは、スロットまたはナイフチャネル５１５によって分離されるシート状金属材料の二重層から形成され、このスロットまたはナイフチャネル５１５は、この中でのナイフ１８５の選択的往復運動を可能にする。組織シーリング表面５２２の遠位端５２２ａは、１８０°曲がって、ジョーハウジング５２４を超えて延びるより大きな導電性表面領域を提供し得る。
【００８１】
特定の外科手術目的に依存して、組織シーリング表面５２２が湾曲していてもよいし、まっすぐであってもよいことが想定される。そのジョーハウジング５２４は、好ましくは、その骨格５３０の縁５３５およびシーリングプレート５２２を包むようにオーバーモールドされ、周囲の組織をそのシーリングプレート５２２の導電性表面から絶縁し、かつジョー部材５２０にアセンブリにおける望ましい形状を与えるように働く。
【００８２】
図８Ａおよび８Ｂは、底部のまたは第２のジョー部材６２０の別の実施形態を示し、このジョー部材６２０は、シール目的のための導電性のシーリング表面６２２およびモノポーラ作動のために設計された導電性表面６３２の両方を備える。より具体的には、その底部ジョー部材６２０は、組織シーリング表面６２２を支持する（または包む）ジョーハウジング６２４を備える。ナイフチャネル６１５は、その組織シーリング表面６２２の長さに沿って配置され、その中でのナイフ１８５の往復運動を可能にする。絶縁層６３４は、ナイフチャネル６１５に対して遠位にあるその組織シーリング表面６２２の遠位端にまたはその付近に配置される。第２の導電性材料６３２（これは、組織シーリング表面６２２と同じ材料であってもそうでなくてもよい）は、絶縁層６３４の反対側に配置される。
【００８３】
その絶縁材料６３４は、組織表面６２２の電気的作動の間にそのモノポーラ部分６３２を分離し、かつモノポーラ要素６３２の電気的作動の間に組織表面６２２を分離することが想定される。理解され得るように、その２つの異なる導電性の要素６２２および６３２は、異なる電気的接続によって発電機３００に接続されてもよいし、ユーザーによって選択的に作動されてもよい。種々のスイッチまたは電気的制御要素など（示さず）は、この目的を達成するために使用され得る。好ましくは、その先端６３２は、偶発的な機械的切断または損傷を避けるために実質的に鈍くされる。
【００８４】
図９Ａおよび９Ｂは、本開示に従うエンドエフェクタアセンブリ（ｅｎｄ  ｅｆｆｅｃｔｏｒ  ａｓｓｅｍｂｌｙ）７００の別の実施形態を示す。このエンドエフェクタアセンブリ７００は、上部ジョー部材７１０および底部ジョー部材７２０を備え、それぞれ、上記に類似のジョー付属部品を備える（すなわち、それぞれ、組織シーリング表面７１２および７２２、ならびに外側絶縁ハウジング７１４および７２４）。上記のように、そのジョー部材７１０および７２０の組織シーリング表面７１２および７２２は、相互にナイフチャネル７１５を形成するように協働し、そのナイフチャネル７１５は、ナイフ１８５が、そこを通って選択的に往復運動することを可能にする。より具体的には、ジョー部材７１０は、ナイフチャネルの第１の部分７１５ａを備え、ジョー部材７２０は、ナイフチャネルの第２の部分７１５ｂを備える。この第１の部分と第２の部分は、ナイフチャネル７１５を形成するように並んでいる。
【００８５】
図９Ｂに最もよく示されるように、ナイフチャネル７１５ａおよび７１５ｂは、ジョー部材７１０および７２０の一方の側面に沿って垂直に位置合わせされた状態で並べられて、ナイフ１８５がそのチャネルを通って往復運動することが可能になる。ジョー部材７２０のナイフチャネル７１５ｂは、より広く（すなわち、ジョー部材７２０の長さを横断して測定される場合）、モノポーラ要素７５４をナイフチャネル７１５ｂを通ってスライドして受容するような寸法にされている分離チャネル７１５ｂ１を備える。より具体的には、モノポーラ要素７５４は、好ましくは、ナイフ１８５の往復運動により、チャネル７１５ｂ１を通ってモノポーラ要素７５４が対応して往復運動するように、ナイフ１８５と一体的に関連付けられる。理解され得るように、ナイフ１８５およびモノポーラ要素７５４はまた、モノポーラ要素７５４が、特定の外科手術手順のために追加され得るような取り外し可能な様式で機械的に係合され得る。明らかに、モノポーラ要素７５４および発電器３００またはスイッチ（示さず）の電気的接続は、上記と類似の様式で機能する。好ましくは、その底部ジョー部材７２０のナイフチャネル７１５ｂは、モノポーラ要素７５４が、ナイフ１８５の遠位方向への往復運動の際にジョー７２０から延び得るように、ジョー部材７２０の最も遠位先端へと、そしてジョー部材７２９の先端に規定される開口７５６へと延びる。トリガー７０（など）は、図１Ａ〜４に関して上記に記載されるように利用されて、組織の処置のためにモノポーラ要素７５４を延ばし得る。
【００８６】
理解され得るように、種々のスイッチ開閉（ｓｗｉｔｃｈｉｎｇ）アルゴリズムが使用されて、脈管シールのためのバイポーラモードおよびさらなる組織処置（例えば、切開）のためのモノポーラモードの両方を作動させ得る。電気的に、機械的にまたは電気機械的にかのいずれかで安全装置またはロックアウトが使用されて、一方の電気的モードの作動の間に、他方の電気モードを「ロックアウト」し得ることが想定され得る。さらに、トグルスイッチ（など）は、安全性の理由で一度に１つのモードを作動するために使用され得ることが予測される。そのモノポーラ要素７５４はまた、安全装置（機械的、電気的または電気機械的のいずれか−示さず）を備え得る。この安全装置は、そのモノポーラ要素７５４が、ジョー部材７２０の遠位端から延ばされる場合に、そのモノポーラ要素７５４の電気的作動を可能にするのみである。
【００８７】
図１０Ａおよび１０Ｂは、底部ジョー部材８２０のなお別の実施形態を示す。この底部ジョー部材は、バイポーラ脈管シーリングおよびモノポーラ組織切開の両方、または他のモノポーラ組織処置のために利用され得る。より具体的には、ジョー部材８２０は、外側ジョーハウジング８２４を備え、この外側ジョーハウジングは、組織シーリングプレート８２２をそのハウジングの中に包むようにオーバーモールドされる。組織シーリングプレート８２２は、好ましくは、上記に詳細に記載されるように、ナイフを往復運動させるためにナイフチャネル８１５を備える。組織シーリングプレート８２２はまた、シーリング表面８２２ａを備え、このシーリング表面８２２ａは、対向する上側ジョー部材（示さず）にある対応するシーリング表面（示さず）に対して向かい合う関係で配置される。
【００８８】
組織シーリング表面８２２はまた、シーリング表面延長部（ｅｘｔｅｎｓｉｏｎ）８２２ｂを備え、この延長部は、オーバーモールドされたジョーハウジング８２４の遠位端８２４ａを通って延びる。理解され得るように、シーリング表面延長部８２２ｂは、モノポーラ組織切開、腸切開、または他の外科手術機能のために設計されており、ハンドスイッチ、フットスイッチで、または上記と類似の様式で発電器３００においてユーザーによって別個にエネルギーが印加され得る。理解され得るように、その延長部８２２ｂはまた、そのオーバーモールドプロセスの間にジョーハウジング８２４においてそのシーリングプレート８２２をさらに固定するように作用する。
【００８９】
一般的な作動用構成要素およびこれらの構成要素の間の相互協働関係が、脈管シーリング鉗子１０に対して大まかに記載されているが、他の器具もまた利用されてもよく、これは、外科医がバイポーラおよびモノポーラ両方の様式で組織を選択的に処置できるように構成され得る（例えば、バイポーラ把握器具および凝固器具、焼灼器具、バイポーラ鋏など）。
【００９０】
本開示はまた、電気外科手術用発電器３００からの電気外科エネルギーで組織を処置するための方法に関し、この方法は、以下の工程を包含する：ハウジング２０を備える内視鏡鉗子１０を提供する工程であって、そのハウジングは、これに取り付けられたシャフト１２を有する、工程。そのシャフト１２は、シャフト１２の遠位端に取り付けられた、第１のジョー部材１１０および第２のジョー部材１２０それぞれを備える。アクチュエータまたはハンドルアセンブリ３０は、ジョー部材１１０および１２０が互いに対して間隔をあけた関係で配置されている第１の位置から、そのジョー部材１１０および１２０がその間で組織をつかむように協働する第２の位置に、ジョー部材１１０および１２０を互いに対して動かすために備えられる。モノポーラ要素１５４もまた備えられ、このモノポーラ要素１５４は、少なくとも第１のジョー部材１２０内に収容され、第１のジョー部材１２０内の第１の位置から、第１のジョー部材１２０に対して遠位にある第２の位置へと選択的に移動可能である。帰還電極５５０が設けられ、患者組織と接触して配置される。
【００９１】
その方法はまた、以下の工程を包含する：各ジョー部材１１０および１２０にモノポーラ要素１５４を接続し、そして帰還電極５５０を電気外科手術用発電器３００に接続する工程；そのジョー部材１１０とジョー部材１２０との間に組織をつかむ工程；そのジョー部材１１０およびジョー部材１２０を選択的に作動して、バイポーラ様式で、そのジョー部材１１０とジョー部材１２０との間に配置された組織を処置する工程；ならびに、そのモノポーラ要素１５４および帰還電極５５０をそのジョー部材１１０およびジョー部材１２０とは無関係に選択的に作動して、モノポーラ様式で組織を処置する工程。
【００９２】
好ましくは、そのジョー部材１１０および１２０を選択的に作動して組織を処置する工程の後に、その方法は、以下の工程を包含する：そのモノポーラ要素１５４をそのジョー部材１１０およびジョー部材１２０の遠位端から延ばす工程。有利には、そのモノポーラ要素１５４を選択的に作動する工程は、そのジョー部材１１０およびジョー部材１２０の作動を停止する工程を包含する。
【００９３】
そのジョー部材１１０およびジョー部材１２０を選択的に作動して組織を処置する工程の後に、その方法は、その組織をそのジョー部材１１０およびジョー部材１２０から離す工程を包含し得る。
【００９４】
前述から、そして種々の図面を参照して、当業者は、特定の改変がまた、本開示の範囲から逸脱することなく、本開示に対して行われ得ることを理解する。例えば、その鉗子１０に他の外形（例えば、細長シャフト１２に対して、エンドエフェクタアセンブリ１００を軸方向にずらす、連接式アセンブリ）を付加することは、好ましいことであり得る。
【００９５】
鉗子１０が、特定の目的に依存して、または特定の結果を達成するために、完全にまたは部分的に使い捨て可能であるように、設計され得ることが想定される。例えば、エンドエフェクタアセンブリ１００は、選択的にかつ開放可能に、シャフト１２の遠位端１６と係合し得、そして／またはシャフト１２の近位端１４は、選択的にかつ開放可能に、ハウジング２０およびハンドルアセンブリ３０と係合し得る。これら２つの場合のいずれにおいても、その鉗子１０は、「部分的に使い捨て可能」かまたは「再配置可能（ｒｅｐｏｓａｂｌｅ）」であると考えられ、すなわち、新たなまたは異なるエンドエフェクタアセンブリ１００（またはエンドエフェクタアセンブリ１００およびシャフト１２）は、古いエンドエフェクタアセンブリ１００と、必要に応じて選択的に置き換わる。理解され得るように、本明細書に開示される電気的接続は、その器具を再配置可能な鉗子に変えるために取り替えなければならない。
【００９６】
さらに、そのスイッチ２００は、切断プロセスの間に閉じられ得ることが想定される。トリガー７１が作動される場合にそのスイッチ２００を閉じることにより、その切断プロセスの間に鉗子を偶然に作動させてしまうことがなくなる。そのスイッチ２００が、鉗子１０の別の部分（例えば、固定されたハンドル４０、回転アセンブリ８０、ハウジング２０など）に配置され得ることもまた想定される。
【００９７】
組織を処置するための内視鏡鉗子は、ハウジングを備え、このハウジングは、このハウジングに取り付けられたシャフトを有し、このシャフトは、その遠位端に取り付けられた第１ジョー部材および第２ジョー部材を備える。鉗子はまた、互いに対してジョー部材を、このジョー部材が互いに対して間隔を開けた関係で配置される第１位置から、このジョー部材が協働して組織をそれらの間につかむ第２位置に移動させるための、アクチュエータを備える。各ジョー部材は、組織を処置するために、ジョー部材がそれらの間に保持される組織を介してバイポーラエネルギーを伝導し得るバイポーラモードで選択的に作動し得るように、電気外科エネルギーの供給源に接続するように構成される。この鉗子はまた、第１のジョー部材内に収容され、そしてこのナイフと一体的に関連するモノポーラ要素を備える。このモノポーラ要素は、第１ジョー部材内の第１位置から第１ジョー部材に対して遠位の第２位置へと選択的に移動可能である。このモノポーラ要素は、電気外科エネルギーの供給源に接続されるように構成され、モノポーラ要素は、このバイポーラモードと独立して選択的に能動化可能である。
【００９８】
本開示のいくつかの実施形態は、図面において示されているが、本開示が、この技術が可能にする程度に広い範囲であり、かつ本明細書が同様に読まれることが意図されるので、その図面において示されるものに限定されるとは意図されない。従って、上記の説明は、限定としてではなく、単に好ましい実施形態の例示であると解釈されるべきである。当業者は、添付の特許請求の範囲の範囲および趣旨内で他の改変を想定する。
【図面の簡単な説明】
【００９９】
本装置の種々の実施形態は、図面を参照して本明細書において説明される。
【図１Ａ】図１Ａは、本開示に従う、ハウジング、シャフトおよびエンドエフェクタアセンブリ、ならびにトリガーアセンブリを第１の位置に示す、内視鏡鉗子の側面図である。
【図１Ｂ】図１Ｂは、図１Ａの線１Ｂ−１Ｂに沿って取った、拡大断面図である。
【図１Ｃ】図１Ｃは、図１Ａのトリガーアセンブリの拡大側面図である。
【図１Ｄ】図１Ｄは、エンドエフェクタアセンブリの遠位端からのモノポーラ要素の相対的な伸長を示す、図１Ａのエンドエフェクタアセンブリの実施形態の拡大側面図である。
【図２】図２は、エンドエフェクタアセンブリ内でナイフを進めるための、第２の位置にあるトリガーアセンブリの側面図である。
【図３】図３は、エンドエフェクタアセンブリの遠位端からモノポーラ要素を伸長するための、第３の位置にあるトリガーアセンブリの側面図である。
【図４】図４は、エンドエフェクタアセンブリの遠位端に関してモノポーラ要素を進めるための、第２のアクチュエータを示す、本発明の代替的な実施形態の側面図である。
【図５Ａ】図５Ａは、エンドエフェクタアセンブリを通してナイフを進める前の、第２のジョー部材に関する第１のジョー部材の相対的な移動を示す、エンドエフェクタアセンブリの一実施形態の拡大側面模式図である。
【図５Ｂ】図５Ｂは、組織を分割するための、エンドエフェクタアセンブリを通るナイフの相対的な移動を示す、エンドエフェクタアセンブリの拡大側面模式図である。
【図５Ｃ】図５Ｃは、エンドエフェクタアセンブリの遠位端から延びるナイフの相対的な移動を示す、エンドエフェクタアセンブリの拡大側面模式図である。
【図６Ａ】図６Ａは、第２のジョー部材または下側ジョー部材を超えて延びる、第１のジョー部材または上側ジョー部材を示す、エンドエフェクタアセンブリの別の実施形態の拡大側面模式図である。
【図６Ｂ】図６Ｂは、バイポーラ作動およびモノポーラ作動の両方を可能にする、制御スイッチおよび発電機への一連の電気接続を示す、エンドエフェクタアセンブリの別の実施形態の模式図である。
【図６Ｃ】図６Ｃは、図６Ｂのエンドエフェクタ構成を利用する、鉗子の作動の種々の様式を示す、表である。
【図７Ａ】図７Ａは、本開示に従う、下側ジョー部材の代替的な実施形態の拡大図である。
【図７Ｂ】図７Ｂは、本開示に従う、下側ジョー部材の代替的な実施形態の拡大図である。
【図８Ａ】図８Ａは、本開示に従う、下側ジョー部材の別の代替的な実施形態の拡大図である。
【図８Ｂ】図８Ｂは、本開示に従う、下側ジョー部材の別の代替的な実施形態の拡大図である。
【図９Ａ】図９Ａは、伸長した構成にあるモノポーラ要素を示す、本開示に従うエンドエフェクタアセンブリの別の代替的な実施形態の拡大図である。
【図９Ｂ】図９Ｂは、伸長した構成にあるモノポーラ要素を示す、本開示に従うエンドエフェクタアセンブリの別の代替的な実施形態の拡大図である。
【図１０Ａ】図１０Ａは、本開示に従う、下側ジョー部材のなお別の代替的な実施形態の拡大図である。
【図１０Ｂ】図１０Ｂは、本開示に従う、下側ジョー部材のなお別の代替的な実施形態の拡大図である。
【図１Ａ】
2006116320.tif 000003
【図１Ｂ】
2006116320.tif 000004
【図１Ｃ】
2006116320.tif 000005
【図１Ｄ】
2006116320.tif 000006
【図２】
2006116320.tif 000007
【図３】
2006116320.tif 000008
【図４】
2006116320.tif 000009
【図５Ａ】
2006116320.tif 000010
【図５Ｂ】
2006116320.tif 000011
【図５Ｃ】
2006116320.tif 000012
【図６Ａ】
2006116320.tif 000013
【図６Ｂ】
2006116320.tif 000014
【図６Ｃ】
2006116320.tif 000015
【図７Ａ】
2006116320.tif 000016
【図７Ｂ】
2006116320.tif 000017
【図８Ａ】
2006116320.tif 000018
【図８Ｂ】
2006116320.tif 000019
【図９Ａ】
2006116320.tif 000020
【図９Ｂ】
2006116320.tif 000021
【図１０Ａ】
2006116320.tif 000022
【図１０Ｂ】
2006116320.tif 000023